(57)【要約】【課題】広告を効率よく配信する広告システムを提供すること。【解決手段】家電製品１００と広告配信サーバー２００とから構成され、家電製品１００が家電製品の動作状況１００ａをネットワークに送信し、広告配信サーバー２００が家電製品１００の動作状況１００ａに応じた広告情報２００ａを配信することにより、効率的な広告配信を行う。【選択図】  図１
2004280244.tif 000002
【特許請求の範囲】
【請求項１】
広告を配信する広告配信サーバーと、前記広告配信サーバーとネットワークを介して接続され、動作状況に応じて広告を取得し表示する家電製品とから構成される広告配信システム。
【請求項２】
家電製品は、個々を識別するため付与されるＩＤを記録する記録手段と、家電製品の動作状況を監視する監視手段と、前記ＩＤ及び家電製品の動作状況を動作情報としてネットワークに送信する送信手段と、ネットワークから広告情報を受信する広告受信手段と、前記受信した広告情報を表示する表示手段とから構成され、前記広告配信サーバーは、前記家電製品が送信する前記動作情報を受信する受信手段と、広告情報を蓄積する広告蓄積手段と、前記受信手段が受信した前記家電製品の動作情報に基づき前記広告情報を選択する広告選択手段と、前記選択された広告情報をネットワークを介して前記家電製品に配信する広告配信手段とから構成されることを特徴とする請求項１に記載の広告配信システム。
【請求項３】
広告配信サーバーは、前記受信手段が受信する前記家電製品の動作情報をユーザー毎に管理するユーザー管理手段を備え、前記広告選択手段は前記ユーザー管理手段が管理している前記家電製品の動作情報に基づき前記広告情報を選択することを特徴とする請求項２に記載の広告配信システム。
【請求項４】
前記家電製品は、前記表示手段を搭載した家電製品と、前記表示手段を搭載しない家電製品とから構成され、前記表示手段を搭載しない家電製品に関わる広告情報は、前記表示手段を搭載した家電製品で表示することを特徴とする請求項３に記載の広告配信システム。
【請求項５】
請求項１〜４のいずれか１項記載の広告配信システムの機能の少なくとも一部をコンピュータに実現させるためのプログラム。
【発明の詳細な説明】
【０００１】
【発明の属する技術分野】
本発明は、ネットワークを介して広告を配信するシステムに関し、特に、特定の家電製品を持つユーザに対して効率よく広告を配信するシステムを提供するものである。
【０００２】
【従来の技術】
従来、ネットワークを介した広告は、予め登録されたユーザ属性を利用し、属性に合うユーザーにのみ広告を配信するものが考案されている（例えば、特許文献１参照）。
【０００３】
【特許文献１】
特開２００１−１３４６４４号公報
【０００４】
【発明が解決しようとする課題】
しかしながら、前記従来の構成では、予め登録された属性情報に従い広告配信を行うが、広告を見ているユーザーの行動状況に関わらず、広告を配信しているため効率的ではなかった。例えば、レストラン情報を提供して欲しいと登録したユーザーには、ユーザーが食事を終えた直後であっても、レストランの広告を配信してしまうことがあり効率的ではない。
【０００５】
本発明は、前記従来の課題を解決するもので、広告を見るユーザーの行動状況に合わせて広告配信が可能な広告配信システムを提供することを目的とする。
【０００６】
【課題を解決するための手段】
前記従来の課題を解決するために、本発明の広告配信システムは、家電製品の動作状況や操作内容に応じて、広告を配信し、表示するようにしたものである。これによって、家電製品の動作状況や操作内容からユーザーの行動状況を推測し、広告を見る対象となるユーザーの行動状況に適した効率的な広告配信が可能となる。
【０００７】
【発明の実施の形態】
請求項１に記載の発明は、広告を配信する広告配信サーバーと、広告配信サーバーとネットワークを介して接続され、動作状況に応じて広告を取得し表示する家電製品とで構成することにより、例えば家電製品の動作状況や操作内容からユーザーの行動状況に適した効率的な広告配信を行うことができる。
【０００８】
請求項２に記載の発明は、特に請求項１に記載の家電製品を、個々を識別するため付与されるＩＤを記録する記録手段と、家電製品の動作状況を監視する監視手段と、家電製品のＩＤ及び動作状況を動作情報としてネットワークに送信する送信手段と、ネットワークから広告情報を受信する広告受信手段と、受信した広告情報を表示する表示手段とから構成するとともに、広告配信サーバーを、家電製品が送信する動作情報を受信する受信手段と、広告情報を蓄積する広告蓄積手段と、受信手段が受信した家電製品の動作情報に基づき広告情報を選択する広告選択手段と、選択された広告情報をネットワークを介して家電製品に配信する広告配信手段とから構成することにより、家電製品の動作状況や操作内容からユーザーの行動状況に適した効率的な広告配信を行うことができる。
【０００９】
請求項３に記載の発明は、特に請求項２に記載の広告配信サーバーを、受信手段が受信する家電製品の動作情報をユーザー毎に管理するユーザー管理手段を備え、広告選択手段はユーザー管理手段が管理している家電製品の動作情報に基づき広告情報を選択するよう構成することにより、複数の家電製品の動作状況や操作内容からユーザーの行動状況に適した効率的な広告配信を行うことができる。
【００１０】
請求項４に記載の発明は、特に請求項３に記載の家電製品を、表示手段を搭載した家電製品と、表示手段を搭載しない家電製品とから構成し、表示手段を搭載しない家電製品に関わる広告情報は、表示手段を搭載した家電製品で表示することにより、表示手段を搭載しない家電製品に関わる広告情報の表示が可能となり、家電製品の動作状況や操作内容からユーザーの行動状況に適した効率的な広告配信を行うことができる。
【００１１】
請求項５に記載の発明は、請求項１〜４のいずれか１項記載の広告配信システムの機能の少なくとも一部をコンピュータに実行させるためのプログラムである。そして、プログラムであるので汎用コンピュータやサーバーを用いて本発明の広告配信システムの一部あるいは全てを容易に実現することができる。また記録媒体に記録したり通信回線を用いてプログラムを配信したりすることでプログラムの配布やインストール作業が簡単にできる。
【００１２】
【実施例】
以下、本発明の第１に実施例について、図を参照しながら説明する。
【００１３】
（実施例１）
図１は、本発明の第１の実施例における広告配信システムの構成図を示す。
【００１４】
１００は家電製品であり、ネットワーク９００を介して、広告配信サーバー２００と接続されている。家電製品１００は、自らの動作状況１００ａをネットワーク９００を介して広告配信サーバー２００に送信する。動作状況１００ａを受信した広告配信サーバー２００は家電製品１００の動作状況１００ａに応じて、広告情報２００ａを家電製品１００に送信する。家電製品１００は、受信した広告情報２００ａを、表示手段を内蔵する場合は内蔵の表示手段で表示し、表示手段を内蔵しない場合は外部の表示手段に広告情報の表示を依頼する。
【００１５】
以上のように構成された広告配信システムでは、家電製品の動作状況やユーザーの家電製品の操作内容に応じて広告を配信することができる。例えば、ユーザーが電子レンジを操作し、あるレシピに従って調理を行った場合、そのレシピに伴う一連の動作状況に応じて、調理に関連する食材やその食材を扱う店舗の情報を広告情報として提供することができるので、ユーザーに対し効果的に広告を配信することが可能である。
【００１６】
（実施例２）
図２は、本発明の第２の実施例における広告配信システムのブロック図を示す。
【００１７】
１１０はネットワーク９１０に接続された家電製品である。家電製品１１０において１１１はＩＤを記録する記録手段である。ＩＤは個々の家電製品を識別するとともに、家電製品の仕様を表す機能も有している。１１２は家電製品の動作状況を監視する動作状況監視手段である。１１３は送信手段であり、家電製品のＩＤと動作状況を動作情報１１０ａとして、ネットワーク９１０を介して、広告配信サーバー２１０に送信する。また、１１４は広告受信手段であり、ネットワーク９１０を通じて、広告配信サーバー２１０から広告情報２１０ａを受信する。１１５は表示手段であり、広告受信手段１１４が受信した広告情報２１０ａを表示する。
【００１８】
広告配信サーバー２１０において、２１１は受信手段であり、ネットワーク９１０を介して、家電製品１１０が送信する動作情報１１０ａを受信する。２１２は広告蓄積手段であり家電製品に配信する広告情報を蓄積している。２１３は広告選択手段であり、受信手段が動作情報として受信した家電製品のＩＤと動作状況に基づき、広告蓄積手段が蓄積している広告情報の中からユーザに配信すべき広告情報を選択する。２１４は広告配信手段であり広告選択手段が選択した広告情報をネットワーク９００を介して、家電製品１１０に送信する。
【００１９】
次に、図２、及び、図３を用いて、第２の実施例の広告配信システムの動作について説明する。
【００２０】
図３は、第２の実施例の広告配信システムの動作手順を示す。
【００２１】
ユーザーが家電製品１１０を操作し（Ｓ１）、家電製品の動作状況に変化があると監視手段１１２は動作状況の変化を検出し（Ｓ２）、送信手段１１３に伝達する。送信手段１１３は、記録手段１１１が記録しているＩＤを読み込み、動作情報１１０ａとして家電製品のＩＤ、及び、動作状況をネットワーク９１０を介して広告配信サーバー２１０へ送信する（Ｓ３）。
【００２２】
広告配信サーバー２１０の受信手段２１１は、動作情報１１０ａを受信し（Ｓ４）、広告選択手段２１３に伝達する。次に、広告選択手段２１３は、動作情報１１０ａから得られる家電製品のＩＤと動作状況を条件にして、広告蓄積手段２１２が蓄積している広告情報の中から広告情報を選択する（Ｓ５）。選択された広告情報は広告配信手段２１４により、ネットワークを介して、家電製品１１０に広告情報２１０ａとして配信される（Ｓ６）。
【００２３】
家電製品１１０の広告受信手段１１４は、広告情報２１０ａを受信し（Ｓ７）、表示手段１１５はこれを表示する（Ｓ８）。
【００２４】
以上の動作手順により、家電製品の動作状況を元に、ユーザーの行動状態に適した広告配信が可能となる。例えば、ユーザーが操作した家電製品が「文字表示が可能なオーブンレンジ」で、家電製品の動作状況が「クッキーを焼くボタンを受け付けた」という場合であれば、ユーザーは現在クッキーを焼いていると推測されるので、このユーザーに対しては、クッキーに関連する食材の広告やその食材を扱う店舗の広告を、オーブンレンジの表示部分に文字情報として流す。
【００２５】
（実施例３）
図４は、本発明の第３の実施例における広告配信システムのブロック図を示す。
【００２６】
図２に示すブロック図と同様の構成である部分は説明を省略する。１２０Ａ、１２０Ｂはネットワーク９２０に接続された家電製品であり、図２に示す家電製品１１０と同様の内部構成を有しており、同一のユーザーが所有している。家電製品１２０Ａ、１２０Ｂは動作状況に変化があると、それぞれ動作情報１２０ａ、１２０ｂをネットワーク９２０を介して、広告配信サーバー２２０に送信する。
【００２７】
広告配信サーバー２２０において、２２５は各ユーザー毎に所有している家電製品とその動作状況を管理するユーザー管理手段である。ユーザー管理手段２２５は受信手段２２１が動作情報１２０ａまたは動作情報１２０ｂを受信すると、管理している動作状況を更新する。広告選択手段２２３はユーザー管理手段２２５の管理している家電製品の動作状況に更新があると、広告蓄積手段が蓄積している広告情報の中からユーザーに配信すべき広告情報を選択する。選択された広告情報は広告配信手段２２４により、ネットワーク９２０を介して、家電製品に広告情報２２０ａとして配信される。
【００２８】
以上の構成により、複数の家電製品の動作状況を元に、ユーザーの行動状態に適した広告配信が可能となる。
【００２９】
尚、この実施例では簡単のため、ユーザーが所有するネットワークに接続された家電製品が２台の場合を例に説明したが、３台以上の家電製品を接続しても構わない。
【００３０】
（実施例４）
図５は、本発明の第４の実施例における広告配信システムのブロック図を示す。
【００３１】
図２、及び、図４に示すブロック図と同様の構成である部分は説明を省略する。１３０Ａ、１３０Ｂはネットワーク９３０に接続された家電製品である。家電製品１３０Ａは図２に示す家電製品１１０と同様の内部構成を有している。また、家電製品１３０Ｂは広告配信手段と表示手段を欠く構成をしているがその他の手段は家電製品１１０と同様の機能を有している。家電製品１３０Ａ、１３０Ｂは動作状況に変化があると、それぞれ動作情報１３０ａ、１３０ｂをネットワーク９３０を介して、広告配信サーバー２３０に送信する。
【００３２】
次に広告配信サーバーの２３０の動作を説明する。
【００３３】
まず、表示手段を搭載した家電製品１３０Ａから動作情報１３０ａを受信した際の動作を説明する。受信手段２３１が動作情報１３０ａを受信すると、ユーザー管理手段２３５は管理している家電製品の動作状況を更新する。広告選択手段は動作状況に変化があった家電製品１３０ＡのＩＤから、表示手段が搭載されていることを確認する。そして、広告蓄積手段が蓄積している広告情報の中からユーザに配信すべき広告情報を選択し、選択された広告情報は広告配信手段２３４により、ネットワーク９２０を介して、家電製品１３０Ａに広告情報２２０ａとして配信される。
【００３４】
次に、表示手段を搭載しない家電製品１３０Ｂから動作情報１３０ｂを受信した際の動作を説明する。受信手段２３１が動作情報１３０ｂを受信すると、ユーザー管理手段２３５は管理している家電製品の動作状況を更新する。広告選択手段は動作状況に変化があった家電製品１３０ＢのＩＤから、表示手段が搭載されていないことと、同じユーザーが所有している家電製品Ａが表示手段を搭載していることを確認する。そして、広告蓄積手段が蓄積している広告情報の中からユーザに配信すべき広告情報を選択し、選択された広告情報は広告配信手段２３４により、ネットワーク９２０を介して、家電製品１３０Ａに広告情報２２０ａとして配信される。
【００３５】
以上の構成により、表示手段を搭載しない家電製品も含み、複数の家電製品の動作状況を元に、ユーザーの行動状態に適した広告配信が可能となる。
【００３６】
尚、この実施例では、表示手段を搭載した家電製品が１台の場合を例に説明したが、表示手段を搭載した家電製品が複数台使用されている場合は、ＩＤから得られる仕様を比較し、最も表示能力の高い家電製品を選択するようにしても良い。
【００３７】
なお、本実施例の各手段をコンピュータやマイコンを用いて広告配信システムの少なくとも一部を実現するプログラムであってもよい。またそのプログラムを記録媒体に記録したり通信回線を用いてプログラムを配信したりすることでプログラムの配布やインストール作業が簡単にできるメリットがある。
【００３８】
【発明の効果】
以上のように、本発明によれば、家電製品の動作状況に応じて広告を取得し、ユーザーの行動状況に適した広告を表示する広告配信システムを提供することができる。
【図面の簡単な説明】
【図１】本発明の実施例１における広告配信システムの構成図
【図２】本発明の実施例２における広告配信システムのブロック図
【図３】本発明の実施例２における広告配信システムの動作手順を示す図
【図４】本発明の実施例３における広告配信システムのブロック図
【図５】本発明の実施例４における広告配信システムのブロック図
【符号の説明】
１００、１１０、１２０Ａ、１２０Ｂ、１３０Ａ、１３０Ｂ  家電製品
１１１、１３１Ａ、１３１Ｂ  記録手段
１１２、１３２Ａ、１３２Ｂ  監視手段
１１３、１３３Ａ、１３３Ｂ  送信手段
１１４、１３４Ａ  広告受信手段
１１５、１３５Ａ  表示手段
１００ａ、１１０ａ、１２０ａ、１２０ｂ、１３０ａ、１３０ｂ  動作情報
２００ａ、２１０ａ、２２０ａ、２３０ａ  広告情報
２００、２１０、２２０、２３０  広告配信サーバー
２１１、２２１、２３１  受信手段
２１２、２２２、２３２  広告蓄積手段
２１３、２２３、２３３  広告選択手段
２１４、２２４、２３４  広告配信手段
２２５、２３５  ユーザー管理手段
９００、９１０、９２０、９３０  ネットワーク
【図１】
2004280244.tif 000003
【図２】
2004280244.tif 000004
【図３】
2004280244.tif 000005
【図４】
2004280244.tif 000006
【図５】
2004280244.tif 000007